(57)【要約】【課題】  火災発生時に消火器に人がついて居なくとも（無人）消火機能が行われるとともに、消火器設置位置の周囲の広範囲に亘って消火剤を自動で放出し得るようにする。【解決手段】火災発生時に火災時の熱又は温度によって貯蔵容器１の頂部に設けられた形状記憶合金製の開閉用金具２５が伸長することで開閉用仕切弁２６が押し込むことにより自動的に消火剤Ｗを噴出させるとともに、貯蔵容器１を自立させた状態で噴出口２３から消火剤Ｗを噴出させることで噴出口２３を縦中心軸線を中心にして水平回転させ得るようにしていることにより、無人状態で消火機能を行えるとともに、消火器設置位置の周囲の広範囲に亘って消火剤Ｗを自動で放出し得るようにしている。【選択図】図２
2018075330.tif 000002
【特許請求の範囲】
【請求項１】
貯蔵容器には、該貯蔵容器内の消火剤を外部に放出させる放出通路を設けているとともに、自立状態における貯蔵容器の頂部付近には放出通路の出口となる消火剤の噴出口を有し、上記噴出口は、該貯蔵容器の縦中心軸線から半径方向の外方に離間した位置において該縦中心軸線を中心とする円周の接線方向又該接線方向に近似する方向に向けて開口させているとともに、上記噴出口から上記消火剤を噴出させることで消火剤噴出力の反力により噴出口を上記縦中心軸線を中心にして水平回転させ得ることを特徴とする蓄圧式消火器。
又、上記貯蔵容器は、消火剤を実質的に収容し且つ火災時の熱又は温度によって形状記憶合金製の開閉用金具が伸長することで開閉用仕切弁を押し込むことにより自動的に消火剤を噴出させることを特徴とする蓄圧式消火器。
【発明の詳細な説明】
【技術分野】
【０００１】  本願発明は、火災発生時の消火に用いる蓄圧式消火器に関し、特に使用者が火災現場から離れた状態であっても（消火器を手で持たなくても）消火機能を発揮し得るようにした蓄圧式消火器に関するものである。
【背景技術】
【０００２】  消火用具には、産業用から家庭用まで多種のものがあるが、簡易な消火器として、耐高圧（主として縦型円筒容器）内に消火剤を充填した蓄圧式消火器が多用されている。尚、この種の一般的な蓄圧式消火器の形態としては、例えば特開２０１１−２２４１３７号公報（特許文献１）に示される縦型円筒形の蓄圧式消火器がある。【０００３】  そして、この種の一般的な蓄圧式消火器（以下、単に消火器ということがある）は、レバー操作で消火剤放出通路を開放することで、容器内部の空気圧により消火剤をホース先端のノズルから噴出させ得るようになっている。【０００４】  ところで、例えば一般家庭において火災が発生したときに、その初期段階であれば火災が狭い範囲であるので、常備している（持ち運び可能な）消火器を使用することで比較的容易に消火できる場合が多い。即ち、火災範囲が狭い（火が小さい）場合は、人が出火近くに居ても直ちに危険になるほどでもないので、消火器を火災現場に持ち込み、そのノズル部分を手に持ってノズル先端から消火剤を火元に向けて噴出させることで比較的簡単に消火することができる。【０００５】  ところが、火災に気づくのが遅れてかなり広い範囲で燃えていると、その火災現場において消火器のノズル部分を持ってノズル先端を広範囲の方向に指向させる（左右に振る）必要があるので消火に時間がかかり、その火災現場に長時間居ることで身体に対する危険度が高くなる（火傷を負ったり煙りを吸うおそれがある）という問題がある。
【先行技術文献】
【特許文献】
【０００６】
【特許文献１】特開２０１１−２２４１３７号公報
【発明の概要】
【発明が解決しようとする課題】
【０００７】  そこで、本願発明は、火災発生時において消火器に人がついて居なくとも（無人で）消火機能が行われるとともに、消火器設置位置の周囲の広範囲に亘って消火剤を自動で放出し得るようにした蓄圧式消火器を提供することを目的とするものである。
【課題を解決するための手段】
【０００８】  本願発明は、上記課題を解決するための手段として次の構成を有している。
尚、本願発明は、蓄圧式消火器を対象にしたものである。又、本願発明の説明においても、発明の名称である「蓄圧式消火器」を単に「消火器」と表現することがある。【０００９】  「本願請求項１の発明」
本願請求項１の発明の消火器（蓄圧式消火器）は、次の各構成を有している。【００１０】  まず、消火剤を蓄圧状態で貯蔵する貯蔵容器として、自立可能であって且つ自立状態での球形のものや円筒形のものが採用可能である。【００１１】  貯蔵容器には、該貯蔵容器内の消火剤を外部に放出させる放出通路を設けているとともに、自立状態における貯蔵容器の頂部付近には放出通路の出口となる消火剤の噴出口を有している。尚、以下に示す実施例では、この放出通路として、貯蔵容器内の底部付近まで挿入された挿入管部とを有し、さらに露出管部の先端部を噴出口としている。又、露出管部には開閉弁も設けている。【００１２】  上記噴出口は、貯蔵容器の縦中心軸線から半径方向の外方に離間した位置において該縦中心軸線を中心とする円周の接線方向又該接線方向に近似する方向に向けて開口させている。このように、噴出口を上記縦中心軸線を中心とする円周の接線方向又は該接線方向又は該接線方向に近似する方向に向けて開口させていると、噴出口の機能として、貯蔵容器内の消火剤を単に噴出する機能のほかに、消火剤噴出力の反力により噴出口を上記縦中心軸線を中心にして水平回転させる機能を有している。尚、噴出口の開口位置は、上記縦中心軸線から適度に離間した位置に設けられる。又、該噴出口の開口方向は、貯蔵容器の上記縦中心軸線を中心とする円周の接線方向と同方向に向けるのが噴出口を水平回転させるのに最も効率がよいが、該接線方向から多少ずれた方向（近似する方向）であっても許容される。【００１３】  又、本願請求項１において、上記貯蔵容器は、消火剤を実質的に収容し且つ火災時の熱又は温度によって貯蔵容器頂部と露出管部の間に設けた開閉用装置が自動的に作動（伸長）することにより消火剤を噴出させるものである。【００１４】  上記開閉用装置は、形状記憶合金製の開閉用金具に取付けた開閉用仕切弁を貯蔵容器頂部内の挿入管部と露出管部の間に挟みこんでもので、火災時の熱又は温度によって形状記憶合金製の開閉用金具が伸長することで開閉用仕切弁を押し込むことにより消火剤を噴出させる機能である。【００１５】  この請求項１の消火器は、この消火器を無人の部屋に置いた状態（放出通路を人手で開放できない状態）で火災が発生したときに、火災の熱又は温度によって開閉用装置が自動的に作動（伸長）することにより消火剤を噴出させるようになる。【００１６】  又、この請求項１の消火器は、この消火器を就寝中の寝室に置いた状態（放出通路を人手で開放できない状態）で火災が発生したときに、火災の熱又は温度によって開閉用装置が自動的に作動（伸長）することにより消火剤を噴出させる。
【発明の効果】
【００１７】  「本願請求項１の発明の効果」
本願請求項１の発明の消火器は、火災現場において貯蔵容器頂部と露出管部の間に設けた開閉用装置が火災時の熱又は温度によって自動的に作動（伸長）することにより噴出口が水平回転しながら消火剤が連続して噴出させるので無人の状態で火災が発生しても、自動で消火機能を発揮できるという効果がある。【００１８】  又、噴出口が水平回転することで、貯蔵容器の外方全周囲に消火剤を連続して噴出させることができるので、無人であっても広範囲の火災を消火できるという効果がある。
【図面の簡単な説明】
【００１９】
【図１】  本願実施例の消火器の基本的機能を説明するための平面図
【図２】  図１のＩＩ−ＩＩ断面図
【図３】  図２のＩＩＩ−ＩＩＩ矢視図（右側面図）
【図４】  図２の開閉用金具及び開閉用仕切弁の基本的機能を説明するためのＩＩ−ＩＩ断面図
【発明を実施するための形態】
【００２０】  以下、図１〜図４を参照して本願実施例に採用した蓄圧式消火器を示している。尚、本願の蓄圧式消火器とは、貯蔵容器１内に蓄圧状態で貯蔵した消火剤Ｗを容器内空所Ｓの高圧空気により放出通路２を通して噴出口２３から外部に放出させ得るようにしたものである。又、本願実施例の説明でも、本願の発明の名称である「蓄圧式消火器」を単に「消火器」ということがある。
【００２１】  本願実施例の消火器は、貯蔵容器１として球形状のものと円筒形のものを採用している。貯蔵容器１には、内部の消火剤Ｗを外部に放出するための一連の放出通路２が設けられている。この放出通路２は、貯蔵容器１内における自立状態での頂部１１から底部１２付近まで挿入された挿入管部２１と貯蔵容器１外に露出する露出管部２２と有している。露出管部２２の先端部には、噴出口２３が設けられている。尚、この噴出口２３は、口径を小さくして放出される消火剤Ｗが遠くまで噴出し得るようにしている。
【００２２】  放出通路２の露出管部２２には、放出通路開閉用の開閉弁２４を設けている。尚、開閉弁２４は、レバーを揺動させることで弁内通路を開閉できる。
【００２３】  放出通路２の露出管部２２は、図１及び図２に示すように、縦中心軸線Ｌから半径方向外方に所定長さ（例えば７〜８ｃｍ程度）だけ延出させている。そして、該露出管部２２の先端である噴出口２３は、図１に示すように縦中心軸線Ｌから所定長さ外方に離間した位置において、縦中心軸線Ｌを中心とする円周Ｍの接線方向Ｎ（又は該接線方向Ｎに近似する方向）に向けて開口させている。尚、該縦中心軸線Ｌから半径方向外方に例えば７〜８ｃｍ程度離間した位置（円周Ｍの位置）に設けている。
【００２４】  この噴出口２３は、貯蔵容器１内の消火剤Ｗを単に噴出する機能のほかに、消火剤噴出力（符号Ｎ）により噴出口２３を縦中心軸線Ｌを中心にして水平回転（矢印Ｒ）させ得る機能を有している。尚、噴出口２３の開口方向は、貯蔵容器１の縦中心軸線Ｌを中心とする円周Ｍの接線方向Ｎと同方向に向けるのが噴出口２３を水平回転させるのに最も効率がよいが、該接線方向Ｎから多少ずれた方向（接線方向Ｎに近似する方向）であっても許容される。
【００２５】  又、噴出口２３の向きを、図４に示すように水平線Ｑより所定角度ａ（例えば角度３０°程度）だけ上向き（矢印Ｐ）に設定している。このように噴出口２３の向きを所定角度ａ（例えば角度３０°程度）だけ上向きに設定しておくと、該噴出口２３から噴出される消火剤Ｗを斜め上方（矢印Ｐ方向）に向けて放出させ得るので、その放出距離を長くできるとともに消化剤Ｗを高所まで届かせることができる。
【００２６】  又、本願実施例の消火器では、無人の部屋に置いた状態及び就寝中の寝室に置いた状態（放出通路２を人手で開放できない状態）で火災が発生したときに、火災の熱又は温度によって形状記憶合金製の開閉用金具２５が伸長することで開閉用仕切弁２６を押し込むことにより消火剤Ｗを噴出することによる消火機能が発生するようになる。
【符号の説明】
【００２７】  １は貯蔵容器、２は放出通路、１１は貯蔵容器の頂部、１２は貯蔵容器の底部、２１は挿入管部、２２は露出管部、２３は噴出口、２４は開閉弁、２５は開閉用金具、２６は開閉用仕切弁である。
【図１】
2018075330.tif 000003
【図２】
2018075330.tif 000004
【図３】
2018075330.tif 000005
【図４】
2018075330.tif 000006